(57)【要約】【課題】組み立て性に優れ、構造値の測定も容易であり、しかも漏電遮断器としての機能を持たせるための部品を組むスペースを内部に備えたプラグイン型配線用遮断器を提供する。【解決手段】ベース部１と、その左右を覆うケース部２、３とを備えたプラグイン型配線用遮断器である。開閉機構部７及び接触子８、９を全てベース部１に取付け固定した。プラグ端子１０を１極に対して複数個形成し、これら複数のプラグ端子１０を一方のケース部２から張出し形成したプラグ端子収納部１２に保持させた。ベース部１とプラグ端子１２との間に付属機器を収納する空間部１３を形成し、漏電遮断機能を持たせることも可能である。【選択図】図１
2014017193.tif 000002
【特許請求の範囲】
【請求項１】
ベース部と、その左右を覆うケース部とを備えたプラグイン型配線用遮断器において、
開閉機構部及び接触子をベース部に取付け固定し、
プラグ端子を１極に対して複数個形成するとともに、これらの複数のプラグ端子を一方のケース部から張出し形成したプラグ端子収納部で保持可能とし、
さらにベース部とプラグ端子との間に付属機器を収納する空間部を形成したことを特徴とするプラグイン型配線用遮断器。
【請求項２】
プラグ端子に接続されたより線を分離するプレート部材を、ベース部またはケース部に着脱自在に取付可能としたことを特徴とする請求項１記載のプラグイン型配線用遮断器。
【請求項３】
複数のプラグ端子を、プラグイン方向にずらして配置したことを特徴とする請求項１記載のプラグイン型配線用遮断器。
【請求項４】
プラグ端子の移動規制部をプラグ端子収納部に形成し、
プラグ端子収納部に収納された一方のプラグ端子は移動規制部に当接させ、
他方のプラグ端子は案内部材に保持され、案内部材をプラグ端子収納部の壁部に当接させて、各々のプラグ端子のプラグイン方向への移動を規制させたことを特徴とする請求項３記載のプラグイン型配線用遮断器。
【発明の詳細な説明】
【技術分野】
【０００１】
本発明は、プラグイン型配線用遮断器の内部構造に関するものである。
【背景技術】
【０００２】
従来のプラグイン型配線用遮断器は、特許文献１に示すように、中間ケースと左右のケースとによって開閉機構部や端子などを挟止させた構造が一般的であった。このため組み立てに手間が掛かるという問題があった。また漏電遮断器としての機能を持たせる場合には、ＺＣＴや漏電検出用の基板などをケース内部に挿入しなければならないが、そのためのスペースを確保することが容易ではないという問題があった。
【０００３】
また、配線用遮断器の内部構造を確認する際などに、左右のケースを開放すると組み込んだ部品が外れてしまうなどの問題があった。
【０００４】
さらに特許文献１の構造では、通電容量を高めるためにプラグ端子を１極に対して複数個形成する場合、左右のケースにそれぞれプラグ端子を保持させたうえで組み立てなければならず、組み立て性が悪かった。
【先行技術文献】
【特許文献】
【０００５】
【特許文献１】特開２００３−２９７２１８号公報
【発明の概要】
【発明が解決しようとする課題】
【０００６】
従って本発明の目的は上記した従来の問題点を解決し、組み立て性に優れしかも漏電遮断器としての機能を持たせるための部品を組むスペースを内部に備えたプラグイン型配線用遮断器を提供することである。
【課題を解決するための手段】
【０００７】
上記の課題を解決するためになされた本発明のプラグイン型配線用遮断器は、ベース部と、その左右を覆うケース部とを備えたプラグイン型配線用遮断器において、開閉機構部及び接触子をベース部に取付け固定し、プラグ端子を１極に対して複数個形成するとともに、これらの複数のプラグ端子を一方のケース部から張出し形成したプラグ端子収納部で保持可能とし、さらにベース部とプラグ端子との間に付属機器を収納する空間部を形成したことを特徴とするものである。
【０００８】
請求項２の発明は請求項１の発明においてプラグ端子に接続されたより線を分離するプレート部材を、ベース部またはケース部に着脱自在に取付可能としたことを特徴とするものである。
【０００９】
請求項３の発明は請求項１の発明において、複数のプラグ端子を、プラグイン方向にずらして配置したことを特徴とするものである。
【００１０】
請求項４の発明は請求項３の発明において、プラグ端子の移動規制部をプラグ端子収納部に形成し、プラグ端子収納部に収納された一方のプラグ端子は移動規制部に当接させ、他方のプラグ端子は案内部材に保持され、案内部材をプラグ収納部の壁部に当接させて、各々のプラグ端子のプラグイン方向への移動を規制させたことを特徴とするものである。
【発明の効果】
【００１１】
請求項１の発明のプラグイン型配線用遮断器は、開閉機構部及び接触子をベース部に取付け固定し、その左右をケース部により覆った構造である。このため構造値を測定する際にケース部を外しても分解されることがなく、ベース部のみで構造値の測定が可能である。また、１極に対して複数個形成されたプラグ端子を、一方のケース部から張出し形成したプラグ端子収納部で保持可能としたので、組み立てが容易である。更に、ベース部とプラグ端子との間に付属機器を収納する空間部を形成したので、ＺＣＴや漏電検出用基板などを組み込むことができ、漏電遮断器としての機能を持たせることも容易である。
【００１２】
請求項２の発明においては、プラグ端子に接続されたより線を分離するプレート部材により、極が異なるより線を接触しないように分離させることができる。さらにこのプレート部材をベース部またはケース部に着脱自在に取付可能としたので、ＺＣＴ，ＣＴ，漏電検出用基板などを選択して組み込むことも可能である。
【００１３】
請求項３の発明においては、複数のプラグ端子を、プラグイン方向にずらして配置したので母線バーに少ない力で差し込むことができる。
【００１４】
請求項４の発明においては、プラグ端子収納部に収納された一方のプラグ端子は移動規制部に当接させ、他方のプラグ端子は案内部材に保持され、プラグ収納部の壁部に当接させて、各々のプラグ端子のプラグイン方向への移動を規制させた複数のプラグ端子を異なる位置にずらして配置することが可能である。
【図面の簡単な説明】
【００１５】
【図１】実施形態のプラグイン型配線用遮断器の分解斜視図である。
【図２】左右のケース部を省略した斜視図である。
【図３】左右のケース部を省略した斜視図である。
【図４】右側のケース部を省略した斜視図である。
【図５】右側のケース部を省略した側面図である。
【図６】プラグ端子収納部の拡大側面図である。
【図７】プラグ端子収納部の拡大斜視図である。
【図８】プラグ端子の斜視図である。
【図９】プラグ端子の分解図である。
【図１０】左側のプラグ端子をプラグ端子収納部に収納した状態を示す斜視図である。
【図１１】右側のプラグ端子をプラグ端子収納部に収納した状態を示す斜視図である。
【発明を実施するための形態】
【００１６】
以下に本発明の好ましい実施形態を説明する。
図１は実施形態のプラグイン型配線用遮断器の分解斜視図であり、１は中央のベース部、２は左側のケース部、３は右側のケース部である。ベース部１の左右両側からケース部２、３を組み付けて図示しないビスで固定することにより、外郭を構成している。なおこれらの部材はともに、絶縁性の樹脂により成形されたものである。
【００１７】
図１に示されるように、ベース部１にはハンドル４、バイメタル５、トリガレバー６等からなる開閉機構部７が取付けられている。また開閉機構部７によって動かされる可動接触子８や、固定接触子９等の接触子も、ケース部２、３に保持させることなく、ベース部１に全て取付けられている。過電流を検出したときに開閉機構部７が可動接触子８を固定接触子９から引き外し、回路を遮断することは従来の配線用遮断器と同様である。なお、この実施形態のプラグイン型配線用遮断器は２極式であるため、開閉機構部７、可動接触子８、固定接触子９はベース部１の両側にそれぞれ取付けられている。このように開閉機構部７及び可動接触子８や固定接触子９をベース部１に取付け固定したので、構造値を測定する際にケース部２、３を外しても分解されることがなく、組み立て性に優れた構造とすることができる。
【００１８】
図２、図３に示されるように、開閉機構部７の電源側には上下３段に積層された母線バーにプラグイン接続するためのプラグ端子１０が設けられている。プラグ端子１０は当然ながら各極にそれぞれ設けられているが、本発明では通電容量を高めるために、プラグ端子１０を１極に対して複数個形成してある。すなわち、各極のバイメタル５に２本のより線１１が接続されており、各より線１１の先端にプラグ端子１０がそれぞれ接続されている。このように１極に２つのプラグ端子１０を形成することにより、１つのプラグ端子１０に流れる電流を１/２にすることができるので、大電流に対応したプラグ端子を用意する必要はなく、従来のプラグ端子１０を使用することが可能となる。なお同極の２つのプラグ端子１０は同一の母線バーにプラグインさせるため、同一高さに並列配置されることはいうまでもない。
【００１９】
図１、図４に示すように、左側のケース部２の電源側端部には、プラグ端子収納部１２が張出し形成されている。プラグ端子収納部１２は上下２段に形成され、各段に極別のプラグ端子１０を収納可能なものであるが、プラグ端子収納部１２の奥行は深く、２つのプラグ端子１０を収納できるようになっている。このように左側のケース部２のプラグ端子収納部１２に全てのプラグ端子１０を収納可能としたので、左側のケース部２をベース部１に取付けてから、右側のケース部３を取付けることができ、組み立て性に優れる。
【００２０】
図５に示すように、ベース部１とプラグ端子収納部１２との間には、付属機器を収納するための空間部１３が形成されている。ここで付属機器とは、ＣＴ，ＺＣＴ，漏電検出用基板等を意味するもので、漏電遮断器としての機能を持たせる場合には、ＺＣＴと漏電検出用基板をこの空間部１３に収納することができる。このような構造により、配線用遮断器用のケース部２、３及びベース部１をそのまま漏電用にも兼用して使用することができるものである。
【００２１】
しかし空間部１３に付属機器を取付けない場合には、大きな電流がより線１１に流れたときに電磁的な衝撃によりより線１１どうしがこの空間部１３の内部で移動して接触し、短絡してしまう可能性がある。このため、異なる極のより線１１、１１間を分離するプレート部材１４を、ベース部１またはケース部２、３に着脱自在に取付けることができるようにしてある。プレート部材１４は図１〜図４に示されるように、右側は高い位置で片側の極の２本のより線１１を保持し、左側は低い位置で反対側の極の２本のより線１１を挟んで保持できる板状形状となっている。より線１１の保持方法はこのような構造に限定するものではなく、より線１１をプレート部材１４で分離させるようにするように出来れば良いものである。ただし空間部１３に付属機器を取付ける場合にはこのプレート部材１４は邪魔になるので、着脱可能としてある。この場合は、取り付けられた付属装置によってより線１１，１１を分離するものである。
【００２２】
次に図６以下を参照しつつ、プラグ端子１０の配置について詳細に説明する。本実施形態においては、同一極の複数のプラグ端子１０、１０は、プラグイン方向（配線用遮断器の前後方向）に僅かにずらして配置されている。前記したように同一極の複数のプラグ端子１０、１０は同一高さで左右に配置されており、同一の母線バーにプラグイン接続されるものであるが、プラグイン方向に僅かにずらすことによって母線バーへの差し込みを順次行わせることが可能となり、少ない差し込み力で差込可能となる。
【００２３】
上記した配置を可能とするため、先にプラグ端子収納部１２に収納される左側のプラグ端子１０Ａには、図８、図１０に示すような板状の案内部材１５が形成されており、プラグ端子収納部１２に収納する際に、プラグ端子収納部１２に形成された移動規制部１６、プラグ端子収納部１２の壁部１２ａ、１２ｂによってプラグ端子１０Ａが案内されながら収納される。プラグイン方向にプラグ端子１０Ａが移動してもプラグ端子１０Ａまたは板状の案内部材１５が移動規制部１６によって移動が規制され、プラグイン方向から離れる方向に対しては、板状の案内部材１５が壁部１２ｂに当接し移動が規制される。なお、図１０は左側のプラグ端子１０Ａをプラグ端子収納部１２に収納した状態を示し、図１１は左側のプラグ端子１０Ａを収納させた後に、右側のプラグ端子１０Ｂをプラグ端子収納部１２に収納した状態を示している。
【００２４】
また、後でプラグ端子収納部１２に収納される右側のプラグ端子１０Ｂには、ブロック状の案内部材１７が形成されており、図９に示すようにプラグ端子１０Ｂに形成された係止片１９ａ，１９ｂがそれぞれ、ブロック状の案内部材１７の係止孔１７ａ、１７ｂに係止、保持されるものである。また、このブロック状の案内部材１７の前面にはプラグ端子１０Ｂの先端部より突出させた突起１８が形成されている。このため、図６及び図１１に示すように、右側のプラグ端子１０Ｂはプラグ端子収納部１２に形成された移動規制部１６によって案内されてプラグ端子収納部１２に収納される。プラグイン方向にプラグ端子１０Ｂが移動しても突起１８がプラグ端子収納部１２の壁部１２ａに当接し移動が規制され、プラグイン方向から離れる方向に対しては、ブロック状の案内部材１７が壁部１２ｂに当接し移動が規制される。このように、各々のプラグ端子１０は異なる位置でプラグイン方向に対して移動を規制するものであり、図６に示すようにプラグ端子１０Ａよりもやや後退した位置にプラグ端子１０Ｂが保持される。なお、これらの案内部材１５、１７とプラグ端子収納部１２との間には上下方向に多少の隙間を持たせてあるので、プラグ端子１０Ａ，１０Ｂは何れもプラグ端子収納部１２の内部で上下方向に首を振ることができ、母線バーに対して水平方向からのみならず、やや斜め方向からの差し込みも可能となっている。
【００２５】
以上に説明したように、本発明のプラグイン型配線用遮断器は、組み立て性に優れること、ケース部２、３を外してもプラグ端子１０など落下する恐れもなく、しかも配線用遮断器用のケース部２，３とベース部１を利用して漏電遮断器としての機能を持たせることもできることなどの多くの利点がある。
【符号の説明】
【００２６】
１  ベース部
２  左側のケース部
３  右側のケース部
４  ハンドル
５  バイメタル
６  トリガレバー
７  開閉機構部
８  可動接触子
９  固定接触子
１０  プラグ端子
１０Ａ  左側のプラグ端子
１０Ｂ  右側のプラグ端子
１１  より線
１２  プラグ端子収納部
１２ａ  壁部
１２ｂ  壁部
１３  空間部
１４  プレート部材
１５  板状の案内部材
１６  移動規制部
１７  ブロック状の案内部材
１７ａ  係止孔
１７ｂ  係止孔
１８  突起
１９  係止部
１９ａ  係止片
１９ｂ  係止片
【図６】
2014017193.tif 000003
【図７】
2014017193.tif 000004
【図８】
2014017193.tif 000005
【図９】
2014017193.tif 000006
【図１】
2014017193.tif 000007
【図２】
2014017193.tif 000008
【図３】
2014017193.tif 000009
【図４】
2014017193.tif 000010
【図５】
2014017193.tif 000011
【図１０】
2014017193.tif 000012
【図１１】
2014017193.tif 000013